(57)【要約】【課題】下端キャップをフェンスのアルミ押出材製中空支柱下端に装着することによって支柱立設時にその中空部にモルタルが入るのを防止するとともに下端キャップを強度が異なる長短複数の中空支柱に大きさを変えることなく共通に使用できるようにする。【解決手段】中空支柱１０の長短に伴う必要強度を，外形寸法を変化せずにアルミ押出材の肉厚の厚さを変化することによって確保するように，長短複数の中空支柱１０を外法寸法同一にして共通形状に押出成形した異厚複数のアルミ押出材製のものとする一方，下端キャップ１３を，上記寸法変化のない中空支柱１０の下端を受入れてこれを被嵌することによって中空支柱１０に装着できるようにすることによって単一の下端キャップ１３を共通に使用できるようにする。【選択図】　　　　図２
2004036291.tif 000002
【特許請求の範囲】
【請求項１】
アルミ押出材による長短複数の中空支柱と，該中空支柱の下端に装着して先端側に先細り挿入部を有することによって中空支柱のモルタル挿入抵抗を減少する下端キャップとを備え，上記長短複数の中空支柱をその肉厚を相対的に厚薄変化することによって長短強度を確保した外法寸法同一にして共通形状に押出成形した異厚複数のアルミ押出材製のものとするとともに上記下端キャップの装着を該下端キャップに形成した被嵌部に中空支柱下端を密に差込み挿入して受入被嵌自在とすることによって上記長短複数の中空支柱に単一の下端キャップを共通使用自在としてなることを特徴とするフェンス用支柱。
【発明の詳細な説明】
【０００１】
【発明の属する技術分野】
本発明は，フェンスを構成するようにフェンス本体を支持するように用いるフェンス用支柱に関する。
【０００２】
【従来の技術及び発明が解決しようとする課題】
この種フェンス用支柱としてアルミ押出材製の矩形乃至方形断面にして中空のものが一般に使用されており，例えばコンクリートブロックの空洞部に該支柱を挿入しこれを埋め込むように空洞部にモルタルを充填してその硬化によって支柱の立設を行うものとされている。
【０００３】
アルミ押出材は押出後の表面処理によってアルマイト皮膜形成と樹脂クリヤー塗装が施されるが，中空材のものにあってその表面処理面は外側表面に限られるのが一般であるところ，例えばモルタルを充填した後にコンクリートブロックの空洞部に支柱を挿入するように，モルタル充填と前後が逆となると，モルタルが中空材の中空部に入り込むことによってその内側表面からモルタルによるアルカリ腐食が発生進行する可能性がある。
【０００４】
支柱の下端を塞ぐことによって，このようなモルタル腐食を防止することが可能であり，そのために，例えば先細り挿入部を先端に形成した下端キャップを用いて，支柱の下端にこれを装着するようにすれば，モルタルの中空部への入り込みを防止し得るとともに支柱の挿入抵抗を減少して挿入を容易化し得ることになり望ましい。下端キャップの装着を行うには，支柱下端の中空部に対して嵌合部を嵌め込むようにすることができ，この場合下端キャップを支柱と面一にすることができ，また納まりも良好のものとすることができる。
【０００５】
しかし乍ら，この種支柱はフェンスの設置高さに対応するように，その高さ（長さ）寸法を変化した長短複数供給する必要があるとともに，長短複数供給する場合には高さ（長さ）寸法が異なることによる必要強度を確保するように太さを変化させる必要があるが，太さを変化すると太さに応じた嵌合部を備えた下端キャップをそれぞれ用意することが必要となる。
【０００６】
本発明はこのような事情に鑑みてなされたもので，その解決課題とするところは上記下端キャップを用いて支柱に装着することによってモルタルへの挿入とアルカリ腐食の防止を可能とするとともに長短複数にして中空の支柱を用いながら単一の下端キャップを共通使用可能としたフェンス用支柱を提供するにある。
【０００７】
【課題を解決するための手段】
上記課題に添って本発明は，中空支柱の長短に伴う必要強度を，太さの変化によって確保することなく，太さを変化せずにアルミ押出材の肉厚の厚さを変化することによって確保するように，長短複数の中空支柱を外法寸法同一にして共通形状に押出成形した異厚複数のアルミ押出材製のものとする一方，この支柱に単一の下端キャップを互換的に使用し得るように，寸法変化のある中空部への嵌合を行うことなく，寸法変化のない下端の受入被嵌を行うことによって，上記支柱に下端キャップを装着するようにしたものであって，即ち本発明を，アルミ押出材による長短複数の中空支柱と，該中空支柱の下端に装着して先端側に先細り挿入部を有することによって中空支柱のモルタル挿入抵抗を減少する下端キャップとを備え，上記長短複数の中空支柱をその肉厚を相対的に厚薄変化することによって長短強度を確保した外法寸法同一にして共通形状に押出成形した異厚複数のアルミ押出材製のものとするとともに上記下端キャップの装着を該下端キャップに形成した被嵌部に中空支柱下端を密に差込み挿入して受入被嵌自在とすることによって上記長短複数の中空支柱に単一の下端キャップを共通使用自在としてなることを特徴とするフェンス用支柱とし，これを発明の要旨として上記課題解決の手段としたものである。
【０００８】
【発明の実施の形態】
以下図面の例に従って本発明を更に具体的に説明すれば，Ａはフェンスであり，該フェンスＡは，所定間隔に立設したフェンス用支柱１０に，例えばその正面に配置した上下のブラケット１１を介してフェンス本体１２を支持することによって構成するものとしてあり，これによって隣地や道路との境界を画するように使用するものとしてあり，このとき上記フェンス用支柱１０は，これをアルミ押出材による中空のものとし，またフェンス本体１２はこれを同じくアルミ押出材の枠と桟を組んで構成したり，アルミ鋳物によって鋳造構成した適宜の仕切体によるものとしてある。
【０００９】
アルミ押出材による中空の上記支柱１０は，例えば６０ｃｍ，８０ｃｍ，１ｍ等のフェンスＡの設置高さ（設置面から支柱１０乃至フェンス本体１２の上端の高さ）に応じて，その長さをそれぞれ設定した長短複数のものとし，フェンス用支柱として該中空支柱１０とともにその下端に装着する下端キャップ１３とを備えてあり，該下端キャップ１３はその先端側に先細り挿入部１５を有することによって上記中空支柱１０の立設を，コンクリートブロックの上端をフェンスＡ設置面とするように該コンクリートブロックの空洞部にモルタルを充填し，該モルタルに先細り挿入部１５を挿入して行うに際してそのモルタル挿入抵抗を減少するものとし，また下端キャップ１３を装着したことによって，中空支柱１０の下端を塞ぎ，中空部にモルタルが入ることによる該支柱１０のモルタル腐食を防止するものとしてある。
【００１０】
上記長短複数の中空支柱１０は，その肉厚を相対的に厚薄変化することによって長短強度を確保した外法寸法同一にして共通形状に押出成形した異厚複数のアルミ押出材製のものとしてある。
【００１１】
即ち中空支柱１０は，アルミを押出成形した断面方形，断面矩形等の中空材を所定長さに切断し，穴加工や切欠き加工等所定の加工を行うとともにブラケット１１等の部品を設置したものとしてある。このとき中空支柱１０は，その切断を行う所定の長さ毎に押出金型を異にした個別の押出成形を行うことによってそれぞれの長さに専用の肉厚を持つものとする一方，その形状及び外法寸法を同一にした共通形状，即ち同一外形形状にして異厚の押出材によるものとしてあり，これによってフェンスＡの高さに応じて異なる長さとした中空支柱１０の外法寸法及び外形形状を共通としながら，各長さに必要な支柱強度をその肉厚を異ならしめることによって，換言すれば基本断面形状を共通にし，内側に向けて異厚とするように肉厚を変えて，相対的な長さが長いときに肉厚を厚く，短いときに薄くするようにして中空支柱１０として必要且つ充分な強度を確保するようにしてある。
【００１２】
このように異厚複数に形成した中空支柱１０に対する上記下端キャップ１３の装着は，これを該下端キャップ１３に形成した被嵌部１４に中空支柱１０下端を密に差込み挿入して受入被嵌自在としてあり，これによって上記長短複数の中空支柱１０に単一の下端キャップ１３を共通使用自在としてある。
【００１３】
即ち下端キャップ１３は，上記中空支柱１０下端を密に差込み挿入する被嵌部１４及び上記モルタルへの挿入抵抗を減少する先細り挿入部１５とを備えたものとしてあり，本例の下端キャップ１３は，上方の被嵌部１４とその下方の先細り挿入部１５とによって，前後及び側面においてそれぞれ逆５角形を呈する合成樹脂の射出成形，アルミの鋳造成形等の成形部品としてある。
【００１４】
上方の被嵌部１４は，中空支柱１０の外形に合せて方形，矩形等の形状にしてその寸法，即ち内法寸法を中空支柱１０の外法寸法に一致するか，これより僅かに大きくした，上端を開口した凹陥孔としてあり，該被嵌部１４によって中空支柱１０下端を被嵌することによって中空支柱１０に下端キャップ１３を装着するように，凹陥孔とした被嵌部１４に中空支柱１０の下端を密に差込み挿入して，該中空支柱１０に容易に外れたりすることなく該下端キャップ１３を一体的に設置してあり，このとき本例の下端キャップ１３はその装着を差込み挿入のみによって簡易且つ確実になし得るものとしたが，必要に応じて該差込み挿入に加えて，例えば接着，ネジ固定等の固定措置を追加的に施すことができる。
【００１５】
また下方の先細り挿入部１５は該被嵌部１４からその前後面及び側面を傾斜して，例えばそれぞれ二等辺三角形の傾斜面をなすようにし，上記被嵌部１４の凹陥孔を行止り先細りの中空部分とするように先細り挿入部１５を配置してあり，これによって下端キャップ１３を上記被嵌部１４とともに前後及び側面においてそれぞれ逆５角形を呈する成形部品として構成したものとしてあり，本例にあって該先細り挿入部１５は，その中空部の内側傾斜面間にブリッジ状の補強リブ１６を複数配置して，その形状を保つに適した形状補強措置を施したものとしてある。
【００１６】
本例の中空支柱１０には上記下端キャップ１３を装着し，該下端キャップ１３の先細り挿入部１５を下向きにして，コンクリートブロックの空洞部に充填したモルタルに該先細り挿入部１５を挿入するように該中空支柱１０を立設し，モルタルの硬化後に上記ブラケット１１を介してこれにフェンス本体１２を設置してフェンスＡとして完成するようにすればよく，上記下端キャップ１３を装着したことによってコンクリートブロックのモルタルに対する支柱挿入の容易化と中空支柱１０の中空部にモルタルが入ることによるアルカリ腐食の可能性を解消することができる。
【００１７】
また中空支柱１０の長短に伴う必要強度を，太さの変化によって確保することなく，太さを変化せずにアルミ押出材の肉厚の厚さを変化することによって確保するように，長短複数の中空支柱１０を外法寸法同一にして共通形状に押出成形した異厚複数のアルミ押出材製のものとする一方，この支柱１０に単一の下端キャップ１３を互換的に使用し得るように，寸法変化のある中空部への嵌合を行うことなく，寸法変化のない下端の受入被嵌を行うことによって，上記支柱１０に下端キャップ１３を装着するようにしたことによって，長短複数にして中空の支柱１０を用いながら単一の下端キャップ１３を共通使用可能としたフェンス用支柱１０を提供することができる。
【００１８】
図示した例は以上のとおりとしたが，フェンス，中空支柱，フェンス本体，下端キャップ等の各具体的形状，構造，材質，これらの関係，これらに対する付加等は，上記発明の要旨に反しない限り様々な形態のものとすることができる。
【００１９】
【発明の効果】
本発明は以上のとおりに構成したから，中空支柱の長短に伴う必要強度を，太さの変化によって確保することなく，太さを変化せずにアルミ押出材の肉厚の厚さを変化することによって確保するように，長短複数の中空支柱を外法寸法同一にして共通形状に押出成形した異厚複数のアルミ押出材製のものとする一方，この支柱に単一の下端キャップを互換的に使用し得るように，寸法変化のある中空部への嵌合を行うことなく，寸法変化のない下端の受入被嵌を行うことによって，上記支柱に下端キャップを装着するようにし，下端キャップを用いて支柱に装着することによってモルタルへの挿入とアルカリ腐食の防止を可能とするとともに長短複数にして中空の支柱を用いながら単一の下端キャップを共通使用可能としたフェンス用支柱を提供することができる。
【図面の簡単な説明】
【図１】フェンスの正面図である。
【図２】中空支柱と下端キャップとの関係を示す斜視図である。
【図３】下端キャップを装着した中空支柱の斜視図である。
【符号の説明】
Ａ　フェンス
１０　中空支柱
１２　フェンス本体
１３　下端キャップ
１４　被嵌部
１５　先細り挿入部
【図１】
2004036291.tif 000003
【図２】
2004036291.tif 000004
【図３】
2004036291.tif 000005